(57)【要約】【課題】  ホース管理を簡単かつ効率的に行なえる消防ホースを提供する。【解決手段】  ホース本体１の両端部にそれぞれ連結金具２，３を取り付け、かつ該ホース本体１端部の外周に筒状の袴５を被覆するように設けた消防ホースにおいて、ホース本体１端部の外周と筒状の袴５との間及び／又は該ホース本体１端部の筒状ジャケット１ａと内側シール層１ｂとの間に、データを記憶するＩＣチップとデータを非接触で送受信するアンテナを回路基板上に形成したＲＦＩＤ用のＩＤタグ６を挿入し、該ＩＤタグ６にホースの履歴情報を記録可能にした。【選択図】      図１
2005143997.tif 000002
【特許請求の範囲】
【請求項１】
ホース本体の両端部にそれぞれ連結金具を取り付け、かつ該ホース本体端部の外周に筒状の袴を被覆するように設けた消防ホースにおいて、前記ホース本体に、データを記憶するＩＣチップとデータを非接触で送受信するアンテナを回路基板上に形成したＲＦＩＤ用のＩＤタグを挿入し、該ＩＤタグにホースの履歴情報を記録するようにした消防ホース。    
【請求項２】
ホース本体の両端部にそれぞれ連結金具を取り付け、かつ該ホース本体端部の外周に筒状の袴を被覆するように設けた消防ホースにおいて、前記ホース本体に、データを記憶させたＩＣチップとデータを非接触で送受信するアンテナを回路基板上に形成したＲＦＩＤ用のＩＤタグを挿入した消防ホース。
【請求項３】
前記ホース本体端部の外周と筒状の袴との間及び／又は該ホース本体端部の筒状ジャケットと内側シール層との間に前記ＩＤタグを挿入した請求項１又は２に記載の消防ホース。
【請求項４】
前記ＩＤタグが電源を内蔵したアクティブ型タグであり、前記履歴情報として少なくともホース使用時の温度と水圧をセンシングするようにした請求項１又は３に記載の消防ホース。
【請求項５】
前記ＩＤタグが電源を内蔵しないパッシブ型タグであり、前記データが少なくともホースの製造年月である請求項２又は３に記載の消防ホース。
【発明の詳細な説明】
【技術分野】
【０００１】
本発明は消防ホースに関し、さらに詳しくは、効率的なホース管理を可能にした消防ホースに関する。
【背景技術】
【０００２】
消防ホースは使用・不使用にかかわらず経時的に劣化するため、適切なホース管理が行なわれないと、緊急時にホースが機能しなくなっていることがある。このようなトラブルを防止するため、消防署で使用される消防ホースについては、定期的にホース性能検査が実施され、欠陥品を新しいホースと交換する処置がとられている。しかし、ホース性能検査は目視検査するだけでなく、１本ずつ水圧テストを行なって正常度を検査するため多くの検査員を必要とし、膨大な手間と時間がかかっていた。
【０００３】
また、民間等で使用されてる消防ホースついては、消火栓ボックスに保管されている場合が多い。このように消火栓ボックスに保管された消防ホースは、設置後１０年を経過したものは保守点検業者による水圧テストを受けることが消防法により義務づけられている。しかし、多数の消火栓ボックスを備えているような大規模工場などでは、すべて同じ製造年月の消防ホースが保管されているとはかぎらないため、保守点検業者は消火栓ボックスからいちいち消防ホースを取り出して、ホース上に印字された製造年月を確認しなければならないため、かなりの手間と時間がかかることが避けられなかった。
【発明の開示】
【発明が解決しようとする課題】
【０００４】
本発明の目的は、ホース管理を簡単かつ効率的に行なえるようにした消防ホースを提供することにある。
【課題を解決するための手段】
【０００５】
上記目的を達成する本発明の消防ホースは、ホース本体の両端部にそれぞれ連結金具を取り付け、かつ該ホース本体端部の外周に筒状の袴を被覆するように設けた消防ホースにおいて、前記ホース本体に、データを記憶するＩＣチップとデータを非接触で送受信するアンテナを回路基板上に形成したＲＦＩＤ用のＩＤタグを挿入し、該ＩＤタグにホースの履歴情報を記録するようにしたことを特徴とするものである。
【０００６】
また、上記目的を達成する本発明の他の消防ホースは、ホース本体の両端部にそれぞれ連結金具を取り付け、かつ該ホース本体端部の外周に筒状の袴を被覆するように設けた消防ホースにおいて、前記ホース本体に、データを記憶させたＩＣチップとデータを非接触で送受信するアンテナを回路基板上に形成したＲＦＩＤ用のＩＤタグを挿入したことを特徴とするものである。
【０００７】
上記ＩＤタグは、好ましくは、ホース本体端部の外周と筒状の袴との間及び／又は該ホース本体端部の筒状ジャケットと内側シール層との間に挿入するのがよい。
【発明の効果】
【０００８】
上述のように前者の本発明の消防ホースによれば、ホース本体内にＲＦＩＤ用のＩＤタグを挿入し、そのＩＤタグにホースの履歴情報を記録するようにしたので、履歴情報を随時記録していくことにより、それをリーダライタで読み取るだけの簡単な操作により、その履歴情報に基づくホース管理を行なうことができる。また、後者の本発明の消防ホースによれば、予め識別用などのデータを記憶させておくことにより、リーダライタで読み取るだけの簡単な操作によりホース管理を行なうことができる。
【０００９】
また、上記ＩＤタグをホース端部の外周と筒状の袴との間及び／又は該ホース端部の筒状ジャケットと内側シール層との間に挿入した場合には、一般に消防ホースが過酷な条件下に使用されるにもかかわらず、ＩＤタグの損傷を少なくし、精度の高いホース管理を行なうことができる。
【発明を実施するための最良の形態】
【００１０】
図１は本発明の実施形態からなる消防ホースの両端部付近について、一部を切除して示したものである。
【００１１】
図１に示す消防ホース１０において、ホース本体１は長尺の中間域が省略して示されており、その両端部にそれぞれ差込式の連結金具２及び３が取り付けられている。連結金具２及び３には、それぞれホース本体端部の内側に段付きのホース装着部（図２の２ａを参照）が設けられ、そのホース装着部にホース本体１の端部が外挿されると共に、外側にワイヤ４が連続的に巻き付けられること等により締付け固定されている。さらにホース本体１の端部の外側に筒状織物の袴５が被覆されている。この筒状の袴５は、多重にワイヤ４が巻回されたホース装着部よりもホース長手方向内側まで延長している。
【００１２】
ホース本体１の両端に設けた一対の連結金具は差込式に構成され、一方の連結金具２が雄型で、他方の連結金具３が雌型になっている。したがって、一方の消防ホースの雄型の連結金具２を他方の消防ホースの雌型の連結金具３に差し込み、この連結操作を順次行なうことで複数本の消防ホースを１本の連続したホースにすることができる。
【００１３】
上記のように構成された消防ホースに対し、ホース本体１の端部表面には、ホースの情報（データ）及び／又はホースの履歴情報が入力されるようにしたＲＦＩＤ用のＩＤタグ６が貼り付けられている。このＩＤタグ６は、ホース本体１と筒状の袴５との間に挟まれた位置にあり、かつホース装着部（ワイヤ４が巻かれた部分）よりもホース長手方向内側に位置している。このようにＩＤタグ６が袴５に覆われるように挿入されることにより、外部障害物に直接接触しないように保護することができる。
【００１４】
本発明において、ＲＦＩＤ（Radio Frequency-Identification: 電波方式認識）とは、リーダライタ（アンテナ＋コントローラ）と、データを記憶するＩＣチップとデータを非接触で送受信するアンテナとを回路基板上に形成したＩＤタグとから構成され、無線方式によりデータを交信することができる自動認識技術をいう。ＲＦＩＤ用のＩＤタグには、タグ自身が電源を内蔵して自ら電波を飛ばすアクティブ型タグと、電源は内蔵せずに、リーダライタ側が接近したときの電磁波により誘電して電波を飛ばすようにしたパッシブ型タグとがある。本発明に使用するＩＤタグには、消防ホースの保管態様に応じて、上記のいずれの型も使用することができる。
【００１５】
アクティブ型のＩＤタグの場合には、ホース履歴情報として、少なくともホース使用時の温度と水圧をセンシングし、消防活動に使用された履歴や使用時間と共に記録され、また引き出せるようにしたものが好ましい。さらに必要に応じてホースの製造年月、購入年月、所属消防署、積載消防車番号など他のデータを予め入力するようにしてもよい。
【００１６】
消防ホースが消火活動に使用された時、ホースが火炎から受ける温度やホースに負荷される水圧は、ホースの寿命（耐久性）に大いに関係する。そのため、例えば、温度×使用時間及び水圧×使用時間の積算値和とホース寿命との関係を予め求めておけば、ホースの性能検査を実施するとき、リーダライタでＩＤタグの蓄積データを読み取るだけで、ホース寿命を簡単に知ることができる。すなわち、従来の定期検査で行なっていた水圧テストなどが全て不要になり、それに伴って検査要員も減らすことができるようになる。
【００１７】
パッシブ型のＩＤタグの場合には、ホースデータとして、少なくともホースの製造年月に相当するデータを予め入力するようにするとよい。勿論、上記同様に購入年月や、消防署用のホースであれば所属消防署や積載消防車番号などの他のデータを入力するようにしてもよい。
【００１８】
このように少なくとも製造年月相当のデータを入力したパッシブ型ＩＤタグを消防ホースに挿入しておくと、その消防ホースを図４のように消火栓ボックス２０に保管した場合、その消防ホース１０にリーダライタを接近させるだけでホースの製造年月を読み取ることができる。この読み取り操作は、消火栓ボックス２０の開閉扉を閉じたままでも実施することができる。したがって、従来のように保守点検業者がいちいち消火栓ボックスから消防ホースを取り出し、ホース上に印字された製造年月を確認する面倒な作業をなくすことができる。
【００１９】
本発明の消防ホースに設けるＩＤタグは、図１の実施形態のように、ホース本体１の端部と筒状の袴５との間に挿入する場合のほか、図２に示す実施形態のようにホース本体１の内部に挿入するようにしてもよい。
【００２０】
すなわち、図２の実施形態では、ＩＤタグ６はホース本体１を構成するジャケット１ａと内側シール層１ｂとの間に挿入されている。ジャケット１ａは筒状織物からなり、また内側シール層１ｂはゴムまたは軟質樹脂から形成されている。図２のＩＤタグ６は、筒状の袴５にオーバラップするように配置されているが、これを図３の実施形態のように、筒状の袴５とオーバラップしないように配置してもよい。このように配置することにより、温度のセンシング精度を向上することができる。
【００２１】
また、本発明に設けるＩＤタグは、図１のようにホース本体１の端部と筒状袴５との間に挿入したものと、図２，図３のようにホース本体１のジャケット１ａと内側シール層１ｂとの間に挿入したものとを併用するようにしてもよい。また、アクティブ型ＩＤタグとパッシブ型ＩＤタグとを併用してもよい。
【００２２】
また、本発明におけるＩＤタグは、ホース本体１の端部に設けれられるようになっている。このような端部に限定した配置により、長い消防ホースの長手方向にリーダライタを無闇にスキャンさせる手間を省くことがで、読み取り作業を速やかに簡単にすることができる。また、ＩＤタグがホース本体１の端部に配置される側としては、図示の例では雄型の連結金具２側にしているが、雌の連結金具３側であってもよく、また雄型及び雌型の両連結金具側にそれぞれ配置するようにしてもよい。  
【図面の簡単な説明】
【００２３】
【図１】本発明の実施形態からなる消防ホースを示し、（Ａ）はその消防ホースの両端部付近を一部を切除して示す正面図、（Ｂ）は（Ａ）におけるＸ−Ｘ矢視断面図である。
【図２】本発明の他の実施形態からなる消防ホースを示し、（Ａ）はその端部付近を一部断面にして示す正面図、（Ｂ）は（Ａ）におけるＹ−Ｙ矢視断面図である。
【図３】本発明の更に他の実施形態からなる消防ホースの端部付近を一部断面にして示す正面図である。
【図４】本発明の消防ホースを消火栓ボックスに保管した状態を例示した斜視図である。
【符号の説明】
【００２４】
１  ホース本体
１ａ  ジャケット
１ｂ  内側シール層
２，３  連結金具
４  ワイヤ
５  袴
６  ＩＤタグ
１０  消防ホース
２０  消火栓ボックス
【図１】
2005143997.tif 000003
【図２】
2005143997.tif 000004
【図３】
2005143997.tif 000005
【図４】
2005143997.tif 000006